(57)【要約】着脱式シートバックディスプレイユニットと、ドッキングステーションと、を備える、エンターテインメントシステム。シートバックディスプレイユニットは、ドッキングステーションからのディスプレイユニットの不正な解除を防止する回転ラッチバタフライ解除機構を含むことができる。システムは、ディスプレイユニットの不慮の分離に対する追加の保護を提供する３点取付システムを備えることができ、部分的に外れた場合の安全性を提供することができる。システムは、それぞれのコネクタが適切に係合されるまでドッキングステーションからディスプレイユニットに電流が供給されないことを確保する電流制御ピンシステムを備えることができる。システムは、ディスプレイユニットとドッキングステーションとのコネクタが位置ずれした場合であっても、ディスプレイユニットの設置を可能にすることができるフローティングピンコネクタドックをさらに備えることができる。システムは、ドッキングステーションを用いて、放熱負荷をディスプレイユニットと分担する放熱システムも備えることができる。
2019532509.tif 000002
【特許請求の範囲】
【請求項１】
着脱式エンターテインメントユニット用の取付システムであって、
ラッチバタラフライと、
カバーと
を備え、
前記ラッチバタラフライが、
回転構成要素を含む本体であって、前記回転構成要素は、前記本体が第１の回転軸線を中心に回転することを可能にするように構成され、前記本体を前記第１の回転軸線を中心にロック位置からロック解除位置まで回転させることにより、解除機構を作動させる、本体と、
前記本体に回転可能に結合されたラッチヘッドであって、前記ラッチヘッドは、第２の回転軸線を中心に前記本体に対して前記ラッチヘッドが回転することを可能にするように構成され、前記ラッチヘッドは、前記第２の回転軸線の第１の側に配置された第１の接点と、前記第２の回転軸線の第２の側に配置された第２の接点と、を有する、ラッチヘッドと、
を備え、
前記カバーが、前記第１の接点と位置合わせされた第１の穿孔と、前記第２の接点と位置合わせされた第２の穿孔と、を有し、前記本体と前記ラッチヘッドとの前方に配置されている、着脱式エンターテインメントユニット用の取付システム。
【請求項２】
前記ラッチヘッドの前記第１の接点および前記第２の接点は、前記第１の接点および前記第２の接点を等しいトルクで作動させることで前記第１の回転軸線を中心に前記ロック解除位置の方向へ前記本体を回転させるように、前記第２の回転軸線のそれぞれ前記第１の側および前記第２の側に配置されている、請求項１に記載の取付システム。
【請求項３】
前記ラッチヘッドの前記第１の接点および前記第２の接点は、前記第１の回転軸線に対してほぼ平行に配置されている、請求項２に記載の取付システム。
【請求項４】
前記取付システムが、ロック解除ツールをさらに備え、
前記ロック解除ツールが、
前記第１の穿孔と位置合わせされ、前記第１の穿孔を通って挿入されて前記第１の接点を作動させるように寸法決めされている、第１の突起と、
前記第２の穿孔と位置合わせされ、前記第２の穿孔を通って挿入されて前記第２の接点を作動させるように寸法決めされている、第２の突起と、を備え、
前記第１の突起および前記第２の突起は、前記本体が前記ロック解除位置にあるときに、それぞれ前記第１の接点および前記第２の接点と接触したままであるのに十分な長さを有する、請求項１に記載の取付システム。
【請求項５】
前記本体は、作動タブをさらに備え、前記解除機構は、前記本体の前記作動タブと位置合わせされた作動面を備え、前記解除フレームは、前記作動タブによる作動時に前記本体が前記第１の回転軸線を中心に回転するにつれて、取付位置から解除位置まで動くように構成されている、請求項１に記載の取付システム。
【請求項６】
前記解除機構は、前記作動面を含む解除フレームをさらに備え、前記解除フレームは、第１のロック機構をさらに備え、前記取付位置は、係合されている前記第１のロック機構および離脱されている前記第１のロック機構に対応する、請求項５に記載の取付システム。
【請求項７】
前記解除フレームは前記取付位置に向かって付勢されている、請求項６に記載の取付システム。
【請求項８】
着脱式エンターテインメントシステム用の係合システムであって、
着脱式ディスプレイユニットと、
前記ディスプレイユニットを受容するように構成されたドッキングステーションと、
を備え、
前記ディスプレイユニットが、
第１の位置で前記ディスプレイユニットの下側から延びて前記ディスプレイユニットの前側に向かって湾曲している、第１のヒンジフックと、
第２の位置で前記ディスプレイユニットの前記下側から延びて前記ディスプレイユニットの前記前側に向かって湾曲している、第２のヒンジフックと、
前記ディスプレイユニットの背部側または上側に配置されるディスプレイ取付機構と、
を備え、
前記ドッキングステーションが、
前記第１のヒンジフックを受容するように構成された第１のヒンジループと、
前記第２のヒンジフックを受容するように構成された第２のヒンジループと、
前記ディスプレイ取付機構と結合するように構成されたドッキング取付機構とを備える、着脱式エンターテインメントシステム用の係合システム。
【請求項９】
前記ドッキングステーションは、前記ディスプレイユニットの対応する少なくとも１つのディスプレイ位置合わせ面と相互作用するように構成された、少なくとも１つの位置合わせタブをさらに含み、前記少なくとも１つの位置合わせタブと前記少なくとも１つのディスプレイ位置合わせ面との間の接触により、前記ドッキングステーションへの前記ディスプレイユニットの設置中に、前記ディスプレイユニットと前記ドッキングステーションとの位置合わせが生じるように構成されている、請求項８に記載の係合システム。
【請求項１０】
前記ディスプレイユニットは、
前記少なくとも１つのディスプレイ位置合わせ面を備え、対応する少なくとも１つの位置合わせタブの対応する側面と接触するように構成された側面をさらに備え、少なくとも１つのディスプレイ位置合わせ構成要素をさらに備え、
前記少なくとも１つのディスプレイ位置合わせ面の前記側面と前記少なくとも１つの位置合わせタブの対応する側面との間の前記接触は、前記接触方向における前記ドッキングステーションに対する前記ディスプレイユニットの動きを防止する、請求項９に記載の係合システム。
【請求項１１】
前記少なくとも１つのディスプレイ位置合わせ構成要素は、前記少なくとも１つの位置合わせタブを受容するように構成されたキャビティを備える、請求項１０に記載の係合システム。
【請求項１２】
前記ディスプレイユニットは、熱源と前記第１のヒンジフックとに熱的に結合された少なくとも１つのヒートシンクをさらに備え、
前記第１のヒンジフックおよび前記第１のヒンジループは、熱伝導性材料から作られている、請求項１０に記載の係合システム。
【請求項１３】
前記ドッキングステーションは、前記第１のヒンジループに熱的に結合された熱伝導性要素をさらに備え、請求項１２に記載の係合システム。
【請求項１４】
前記ディスプレイ取付機構は、本体を有するラッチバタフライと、前記本体に回転可能に結合されたラッチヘッドと、を備え、
前記本体と前記ラッチヘッドとの前方に配置されたカバーをさらに備える、請求項１に記載の係合システム。
【請求項１５】
前記本体は、前記本体が第１の回転軸線を中心に回転することを可能にするように構成された回転構成要素を含み、前記本体を前記第１の回転軸線を中心にロック位置からロック解除位置まで回転させることにより、解除機構を作動させる、請求項１４に記載の係合システム。
【請求項１６】
前記ラッチヘッドは、第２の回転軸線を中心に前記本体に対して回転するように構成され、前記ラッチヘッドは、前記第２の回転軸線の第１の側に配置された第１の接点と、前記第２の回転軸線の第２の側に配置された第２の接点と、を含み、前記カバーは、前記第１の接点と位置合わせされた第１の穿孔と、前記第２の接点と位置合わせされた第２の穿孔と、を備える、請求項１５に記載の係合システム。
【請求項１７】
着脱式エンターテインメントシステム用の電流制御システムであって、
ドッキングステーションと、
前記ドッキングステーションにドッキングするように構成された着脱式ディスプレイユニットと、
を備え、
前記ドッキングステーションが、
前記ドッキングステーションの前側に配置された第１のコネクタ構成要素と、
前記ドッキングステーションの前記前側に配置された接点と、前記接点と、
を備え、
前記ディスプレイユニットが、
前記ディスプレイユニットの背部側に配置され、前記ドッキングステーションへの前記ディスプレイユニットの前記ドッキング中に前記第１のコネクタ構成要素と係合するように位置合わせされた、第２のコネクタ構成要素と、
前記ディスプレイユニットの前記背部側に配置された電流制御ピンと、
を備え、
前記電流制御ピンが、
前記ディスプレイユニットの前記背部側に固定され、前記ディスプレイユニットから外向きに延びる細長い領域を有する、内側接点ピンと、
細長い領域と内部キャビティとを有する接点ピンと、
第１の端部で前記内側接点ピンの周囲に配置され、第２の端部で前記内部キャビティ内に配置され、前記内側接点ピンを前記接点ピンから分離するように付勢されている、ばねと、
前記ばねによる作用を受けたときに前記接点ピンの移動を制限するように構成されたハウジングと、
を備え、
前記電流制御ピンは、前記ドッキングステーションへの前記ディスプレイユニットの前記ドッキング中に前記接点ピンが前記接点と接触し、前記接点ピンを前記内側接点ピンに向かって移動させるように位置合わせされ、
前記接点ピンの前記細長い領域の長さと前記接点ピンの移動距離との組み合わせは、前記内側接点ピンが前記接点ピンの前記内部キャビティに接触する前に、第２のコネクタ構成要素が前記第１のコネクタ構成要素と係合するように構成されている、着脱式ディスプレイユニットと、
を備える、着脱式エンターテインメントシステム用の電流制御システム。
【請求項１８】
前記接点は、電流源に結合され、前記接点ピンおよび前記内側接点ピンは、導電性材料からなる、請求項１７に記載の電流制御システム。
【請求項１９】
着脱式エンターテインメントシステム用のフローティングコネクタドックシステムであって、
ドッキングステーションを備え、
前記ドッキングステーションが、
背部パネルと、
少なくとも１つの穿孔を含む、コネクタインタフェースプレートと、
前記コネクタインタフェースプレートに取り付けられた第１のコネクタインタフェースと、
前記背部パネルから外側に延び、前記少なくとも１つの穿孔を貫通する少なくとも１つのガイドピンであって、前記少なくとも１つの穿孔は、前記少なくとも１つの穿孔に対する前記少なくとも１つのガイドピンの横方向の移動を許容差内で可能にするように、前記少なくとも１つのガイドピンの幅に対して寸法決めされている、少なくとも１つのガイドピンと、
前記背部パネルと前記コネクタインタフェースプレートとの間の前記少なくとも１つのガイドピンの周りに配置されたばね機構と、
前記コネクタインタフェースプレートに取り付けられ、前記コネクタインタフェースプレートから外側に延びる少なくとも１つのドッキング位置合わせタブと、
を備える、着脱式エンターテインメントシステム用のフローティングコネクタドックシステム。
【請求項２０】
前記ドッキングステーションとドッキングするように構成された着脱式ディスプレイユニットであって、前記ディスプレイユニットは、
前記少なくとも１つのドッキング位置合わせタブに対応する少なくとも１つのディスプレイ位置合わせ機構と、
前記第１のコネクタインタフェースと相互作用するように構成された第２のコネクタインタフェースと、を含む、着脱式ディスプレイユニット、をさらに備え、
前記少なくとも１つのドッキング位置合わせタブは、対応する少なくとも１つのディスプレイ位置合わせ機構と相互作用して、前記ドッキングステーションの前記第１のコネクタインタフェースを前記ディスプレイユニットの前記第２のコネクタインタフェースと位置合わせするように構成されている、請求項１９に記載のフローティングコネクタドックシステム。
【請求項２１】
前記少なくとも１つのディスプレイ位置合わせ機構は、対応する少なくとも１つのドッキング位置合わせタブと相互作用するように構成された少なくとも１つのディスプレイ位置合わせ面を含み、前記少なくとも１つのディスプレイ位置合わせ面は、位置合わせ方向に向かって先細りになっている、請求項２０に記載のフローティングコネクタドックシステム。
【請求項２２】
前記ばね機構は、皿ばねを備える、請求項２０に記載のフローティングコネクタドックシステム。
【請求項２３】
前記ドッキングステーションは、前記背部パネルに固定可能に取り付けられて前記コネクタインタフェースプレートの上に配置された前部パネルをさらに備え、少なくとも１つの穿孔を含む前記前部パネルは、前記少なくとも１つの穿孔を通って前記第１のコネクタインタフェースと前記少なくとも１つのドッキング位置合わせタブとにアクセス可能であるように前記コネクタインタフェースプレートと位置合わせされている、請求項２０に記載のフローティングコネクタドックシステム。
【請求項２４】
前記少なくとも１つの穿孔は、少なくとも１つの横方向における少なくとも許容差だけ、対応する前記第１のコネクタインタフェースと前記少なくとも１つのドッキング位置合わせタブとの面積よりも大きい面積を有するように寸法決めされている、請求項２０に記載のフローティングコネクタドックシステム。
【請求項２５】
熱源と、
前記熱源に熱的に結合されたヒートシンクと、
前記ヒートシンクに熱的に結合され、前記ヒートシンクから外向きに延び、熱伝導性材料から作られている、少なくとも１つの板ばねと、を含む、着脱式ディスプレイユニットと、
前記ディスプレイユニットが前記ドッキングステーションとドッキングされるときに前記少なくとも１つの板ばねと接触するように位置合わせされる、少なくとも１つの熱伝導性要素を備え、前記ディスプレイユニットを受容するように構成されたドッキングステーションと、
を備える、着脱式エンターテインメントシステム用の放熱システム。
【請求項２６】
前記着脱式ディスプレイユニットは、前記ヒートシンクに熱的に結合された少なくとも１つの第１の取付機構をさらに備え、
前記ドッキングステーションは、前記少なくとも１つの熱伝導性要素に熱的に結合された少なくとも１つの第２の取付機構をさらに含み、前記少なくとも１つの第２の取付機構は、対応する少なくとも１つの第１の取付機構と相互作用して、前記ディスプレイユニットが前記ドッキングステーションとドッキングされるときに前記ディスプレイユニットを前記ドッキングステーションで固定するように構成され、
前記少なくとも第１の１つの取付機構および前記少なくとも１つの第２の取付機構は、熱伝導性材料から作られている、請求項２５に記載の放熱システム。
【請求項２７】
前記少なくとも１つの第１の取付機構は、前記ディスプレイユニットの下側から延びる少なくとも１つのヒンジフックを含み、前記第１のヒンジフックは、前記ディスプレイユニットの前側に向かって湾曲し、
前記少なくとも１つの第２の取付機構は、前記第１のヒンジフックを受容するように構成されたヒンジループを備える、請求項２６に記載の放熱システム。
【発明の詳細な説明】
【技術分野】
【０００１】
本発明の分野は、輸送機関搭載用エンターテインメントシステムである。
【背景技術】
【０００２】
背景技術の説明は、本発明を理解するのに有用であり得る情報を含む。本明細書において提供された情報のいずれかが先行技術であるかもしくは現在特許請求されている発明に関連すること、または具体的にもしくは暗黙的に参照される任意の刊行物が先行技術であることを容認するものではない。
【０００３】
最新の機内エンターテインメントシステムは、客室全体のオーバーヘッドディスプレイシステムから個々の乗客用の個々のシートバックユニットへと発展してきた。この発展は、画面上のコンテンツの、より近くでの、かつより直視型の視聴を提供することによって、また、多くの場合、選択可能なエンターテインメントオプションを乗客に提供することによって、空の旅をより快適にするのに役立つことができる。
【０００４】
これらのシートバックエンターテインメントソリューションは、客室全体のオーバーヘッドディスプレイシステムには存在しない課題をもたらしている。例えば、シートバックエンターテインメントソリューションでは、より多くのディスプレイユニット、すなわち、それぞれの乗客に１つずつのディスプレイユニットが必要である。したがって、より多数のディスプレイユニットを用いると、故障の可能性がより高くなり、故障しているかまたは動作不能のユニットの交換が必要になる。加えて、シートバックエンターテインメントソリューションは、それぞれの乗客に対して個別であるため、したがって従来の客室全体のオーバーヘッドエンターテインメントシステムとは異なり、一般に、シートバックユニットの表示に不具合が生じている乗客のための代替画面が存在しない。したがって、航空機がフライトとフライトとの間の地上にいる間などに、故障したユニットを迅速に交換できることがより重要である。
【０００５】
この問題に対処するために、着脱式シートバックエンターテインメントシステムが開発されてきた。既存のシートバックエンターテインメントシステムは、通常、個々のエンターテインメントシステムに対応する特定の座席の前の座席の背もたれ内に配置されたドッキングステーションと、ドッキングステーション内にドッキングする着脱式ディスプレイユニットと、からなる。
【０００６】
既存の着脱式シートバックエンターテインメントシステムは、客室全体のオーバーヘッドシステムを上回る改良であるが、これらの既存のシートバックエンターテインメントソリューションにはまだ制限がある。
【発明の概要】
【発明が解決しようとする課題】
【０００７】
既存のシステムは、航空機搭乗員によるドッキングステーションからのディスプレイユニットの迅速な取り外しを可能にするために様々な種類の解除機構を採用している。不正な取り外しを防止するために、いくつかの既存のシステムは、解除機構にアクセスするためにディスプレイユニットの前面の開口部に導入される特別なツールを必要とする。しかしながら、解除機構の作動は、単一の接点を作動させることを必要とするだけであることが多く、したがって、他の物体を開口部に導入して解除機構を作動させることによってツールの使用を回避することができる。したがって、ディスプレイユニットがそのドッキングステーションから不正に取り外されることを効果的に防止する、使いやすいラッチシステムが依然として必要とされている。
【０００８】
現在のシートバックエンターテインメントシステムに関する別の問題は、極度の乱気流、ハードランディングまたは衝突の場合に、ドッキングされたディスプレイユニットが部分的または完全に外れ、乗客に対して飛び出す危険をもたらす可能性があるというリスクである。同様に、そのような状況において、ディスプレイユニットに物体（例えば、乗客の身体またはキャビンに放り出された他の物体）によって衝撃が与えられた場合、その衝撃により、ディスプレイユニットは、ドッキングステーションから部分的または完全に外れる可能性がある。部分的にのみ外れた場合であっても、既存のシステムの設置は、部分的な不具合がディスプレイユニットを上方に揺動させ、乗客の頭または身体に衝突する可能性があるというものである。したがって、使いやすく、かつ、ドッキングステーションからのディスプレイユニットの望ましくない取り外しまたは分離を防ぐ確実な係合システムが依然として必要とされている。
【０００９】
既存のシステムはまた、ドッキングステーションから着脱式ディスプレイユニットに電流を供給する前に適切な設置を確保するための確実な方法を欠いている。取り付けられていないかまたは誤って取り付けられたディスプレイユニットに電流を供給すると、ディスプレイユニットおよびドッキングステーションに損傷を与える可能性があり、設置作業者および乗客にとって感電の危険がある。
【００１０】
既存のシステムは、一般に、位置ずれに対する許容範囲を有さず、適切に設置するためにディスプレイユニットとドッキングステーションとの非常に正確な位置合わせを必要とする。したがって、保守作業員による迅速な設置は、困難かつ面倒である。加えて、この正確な位置合わせ要件のために、着脱式ディスプレイユニットおよびドッキングステーションのコネクタインタフェースまたは着脱式ディスプレイユニットもしくはドッキングステーションのコネクタインタフェースが通常の摩滅、誤用、不適切な取付またはその他の損傷により位置合わせから外れた場合、既存のシステムは、動作不能になり、修理または交換のためにオフラインにする必要がある。
【００１１】
既存のシステムでは通常、熱管理ソリューションに限界がある。ディスプレイならびにディスプレイユニットで使用されるプロセッサおよび他の構成要素がより高速かつより強力になるにつれて、より多くの熱が生じ、したがって、改善された熱管理ソリューションが必要となる。
【００１２】
したがって、既存のソリューションのこれらのさらなる制限に対処するシートバックエンターテインメントシステムが依然として必要とされている。
【課題を解決するための手段】
【００１３】
本発明の主題は、シートバックエンターテインメントシステムの着脱式ディスプレイユニットを、ドッキングステーションに対して容易かつ確実に設置および取り外しできる装置、システムおよび方法を提供し、（乱気流または航空機事故の場合などにおいて）不慮に取り外されることまたは取り除かれることを防止し、ドッキングステーションとディスプレイユニットとの間の位置ずれの潜在的な原因を明らかにし、改善された電流制御を提供し、改善された熱管理および放熱を提供する。
【００１４】
本発明の主題の実施形態は、着脱式ディスプレイユニットをドッキングステーションに固定し、ドッキングステーションから取り外す解除機構を作動させるように移動可能な本体を有する、回転バタフライラッチを含むアタッチメントまたはラッチシステムを含む。実施形態では、本体は、回転要素を中心に回転することができ、それによって、第１の位置（ロック）から第２の位置（ロック解除）への本体の回転によって解除機構が解除される。バタフライラッチは、ラッチヘッドが第２の回転軸線を中心として本体の周りを回転できるように本体に回転可能に結合されたラッチヘッドも含む。ラッチヘッドは、接点のうちの１つのみを（または２つ以上の接点を不均等に）作動させて、ラッチヘッドが、本体を動かすのではなく本体を中心に回転し、ひいては、本体を動かさずに解除機構を作動させるように配置された接点を含む。取付システムは、本体とラッチヘッドとの前面にカバーも含む。カバーは、ラッチヘッドの接点と位置合わせされた穿孔を含む。したがって、ディスプレイユニットがドッキングステーション内に設置されるとき、接点へは、（突起と位置合わせするように離間かつ寸法決めされ、接点を作動させて本体を回転させるのに十分な長さを有する）突起を有するツールを介してなど、穿孔を介してのみアクセスすることができる。このカバーは、ディスプレイユニット自体の上方部分であり得る。
【００１５】
本発明の主題の実施形態は、多点（好ましくは３点）係合システムを含む。好ましい３点係合システムは、ディスプレイユニットの背部から延びる第１および第２のヒンジフックと、ディスプレイユニットの前部に向かって湾曲したヒンジフックと、ディスプレイユニットの上側または背部にあるディスプレイ取付機構と、を含む。３点係合システムは、ヒンジフックを受容するように配置された、ドッキングステーション上の対応するヒンジループと、ディスプレイユニットの取付機構と結合することができる対応するドッキング取付機構と、も含む。
【００１６】
いくつかの実施形態では、システムは、設置中にディスプレイユニットをドッキングステーションと位置合わせするのを補助する、ドッキングステーション上の位置合わせタブおよびディスプレイユニット上の対応する位置合わせ面も含むことができる。加えて、ディスプレイユニットは、位置合わせ面を含むディスプレイ位置合わせ部材を有することができる。ディスプレイ位置合わせ部材は、側面、上面および／または底面を有するキャビティとすることができ、ドッキングステーションの対応する位置合わせタブを受容するように寸法決めすることができる。位置合わせ部材内の位置合わせタブの係合は、ドッキングステーションに対するディスプレイユニットの横方向の動きを防ぐ。したがって、これらの実施形態では、ドッキングステーションのヒンジループは、ヒンジフックに正確に嵌合するように寸法決めされる必要はない。代わりに、ヒンジループは、設置中にヒンジフックがヒンジループ内である程度の横方向の動きを有することができるように、ヒンジフックよりも大きい横方向寸法を有することができる。ヒンジフックの厚さおよびヒンジループの対応する「垂直」方向（例えば、オフセットされ、好ましくは横方向に略直交する前後方向は、ドッキングステーションおよびディスプレイユニットまたはドッキングステーションもしくはディスプレイユニットの前方または後方に向かう方向と見なすことができる）の寸法は、ヒンジループ内に設置されたときにヒンジフックが前方または後方に移動できないようになっている。好ましくは、ヒンジフックおよびヒンジループの寸法は、ディスプレイユニットがドッキングステーション内に設置されたときにヒンジフックと対応するヒンジループとが接触するようになっている。
【００１７】
いくつかの実施形態では、ディスプレイおよびドック取付機構は、バタフライラッチ係合機構を含むことができる。
いくつかの実施形態では、ヒンジフックは、熱伝導性材料から作られ、ディスプレイユニットのヒートシンクと熱的に結合される。対応するヒンジループも同様に熱伝導性材料から作られ、ドッキングステーションの背部プレートなどのドッキングステーションの熱伝導性要素に熱的に結合される。したがって、ヒンジフックおよびヒンジループは、放熱機能を提供するためにドッキングステーション自体を使用することにより熱管理を支援することができる。
【００１８】
本発明の主題の実施形態は、ドッキングステーション上の接続またはインタフェース構成要素（例えば、ピン接続インタフェースなどの接続インタフェースの半分）および接点、ならびに着脱式ディスプレイユニット上の対応する接続またはインタフェース構成要素（例えば、ピン接続インタフェースなどの接続インタフェースのもう半分）および電流制御ピンを含む、電流制御システムを含む。
【００１９】
ドッキングステーションとディスプレイユニットとの対応する接続構成要素は、ドッキングステーション内へのディスプレイユニットの設置中にそれらが係合するように配置した。この接続インタフェースは、データ接続インタフェース、ビデオ接続インタフェースなどであり得、電力分配機能を含んでもよく、または含まなくてもよい。
【００２０】
ディスプレイユニットの電流制御ピンは、ドッキングステーションの接点と位置合わせされるように配置されている。電流制御ピンは、一端で接点ピンの周囲に、他端で接点ピンの内部キャビティの内側に嵌合するばねによってディスプレイユニットの背部に固定された内側接点ピンを含み、接点ピンに力が加わると、ばねが圧縮され、接点ピンが内側接点ピンに向かって移動し、最終的に内側接点ピンが接点ピンの内部キャビティと接触するようにされている。内側接点ピンと接点ピンとのこの接触により、ドッキングステーションからディスプレイユニットへの電流の流れが可能になる。
【００２１】
電流制御ピンの様々な構成要素の寸法および電流制御ピンの配置は、接点ピンが内部接点ピンと接触する前に、ディスプレイユニットの設置中にドッキングステーションとディスプレイユニットとの接続構成要素が係合することとなるようにされている。したがって、接続構成要素が適切に係合されるまで、電流は、ディスプレイ装置に供給されない。
【００２２】
本発明の主題の実施形態は、フローティングコネクタドックシステムを含み、ドッキングステーションのコネクタインタフェースに、着脱式ディスプレイユニットの対応するコネクタインタフェースの（例えば、摩滅、酷使、損傷、不正確な設置などに起因する）ある程度の位置ずれに適応するための、横方向のわずかな移動量を与えることができる。本発明の主題のこれらの実施形態では、ドッキングステーションは、背部パネルから外側に延びる１つまたは複数のガイドピンを含む。これらのガイドピンは、コネクタインタフェースを有するコネクタインタフェースプレートの穿孔を貫通し、これらの穿孔は、ガイドピンの断面積よりも、設定された許容量だけ大きくなるように寸法決めされている。このシステムは、ベースプレートとコネクタインタフェースプレートとの間のガイドピンの周りに配置されたばね（例えば、皿ばね）を含み、そのばねは、コネクタインタフェースプレートに前方方向への力を加え、コネクタインタフェースプレートが背部プレートに衝突することを防ぐ。
【００２３】
コネクタインタフェースプレートは、ディスプレイユニットの対応する位置合わせ機構と接触したときに、コネクタインタフェースプレートの対応する横方向の移動を引き起こすことによってコネクタインタフェースをディスプレイユニットの対応するコネクタインタフェースと位置合わせする１つまたは複数のドッキング位置合わせタブも含む。
【００２４】
実施形態では、システムは、背部プレートに静的に固定され、コネクタインタフェースプレートを覆う前部プレートも含む。したがって、コネクタインタフェースプレートは、背部プレートと前部プレートとの間の空間内に大部分が包まれており、ばねによって前部プレートに対して付勢されている。前部プレートは、コネクタインタフェースへのアクセスを可能にする開口部と、接続のためのドッキング位置合わせタブと、を含み、開口部は、コネクタドックとドッキング位置合わせタブとに必要な面積よりも、ガイドピンとコネクタインタフェースプレートの穿孔との少なくとも許容量だけ大きくなるように寸法決めされる。言い換えれば、前部プレートは、コネクタインタフェースプレートがガイドピンとコネクタインタフェースプレートの対応する穿孔との相対的なサイズによって与えられる許容量だけ横方向に移動する場合であっても、コネクタインタフェースおよびドッキング位置合わせタブへのアクセスを可能にする開口部を含む。
【００２５】
本発明の主題の実施形態は、ディスプレイユニットの背部から延びる１つまたは複数の板ばねを含む。板ばねは、熱伝導性材料から作られ、ディスプレイユニットのヒートシンクに熱的に結合されている。板ばねは、ディスプレイユニットがドッキングステーションに設置されたときに板ばねがドッキングステーションの熱伝導性要素（例えば、熱伝導性材料から作られた背部プレート）と接触するように寸法決めされている。このように、板ばねは、ドッキングステーションに放散のために熱を伝達することができ、したがって、熱管理負荷を分担する。
【００２６】
実施形態では、ドッキングステーション内にディスプレイユニットを固定するために使用される取付機構は、同様に熱伝導性材料から作られ、したがって、ディスプレイユニットのヒートシンクとドッキングステーションの熱伝導性要素とに熱的に結合することができる。考えられる適切な取付機構は、本発明の主題の実施形態に記載のヒンジフックおよびヒンジループを含むことができる。
【００２７】
本発明の主題の様々な目的、特徴、態様および利点は、同様の参照番号が同様の構成要素を表す添付の図面とともに、以下の好適な実施形態の詳細な説明からより明らかになるであろう。
【００２８】
本明細書で特定される全ての刊行物は、あたかもそれぞれの個々の刊行物または特許出願が具体的かつ個別に参照により組み込まれることが示されるのと同程度に、参照により組み込まれる。組み込まれた参照文献における用語の定義または使用が本明細書中で提供されるその用語の定義に矛盾するかまたは反する場合、本明細書において提供されるその用語の定義が適用され、参照文献におけるその用語の定義は適用されない。
【００２９】
本明細書の説明は、本発明を理解するのに有用であり得る情報を含む。本明細書において提供された情報のいずれかが先行技術であるかもしくは現在特許請求されている発明に関連すること、または具体的にもしくは暗黙的に参照される任意の刊行物が先行技術であることを容認するものではない。
【００３０】
いくつかの実施形態では、本発明の特定の実施形態を説明および特許請求するために使用される成分の量、濃度などの特性、反応条件などを表す数は、場合より、「約」という用語によって修飾されると理解されたい。したがって、いくつかの実施形態では、明細書と添付の特許請求の範囲とに記載の数値パラメータは、特定の実施形態によって得られるように求められる所望の特性に応じて変化する可能性のある近似値である。いくつかの実施形態では、数値パラメータは、報告された有効桁数を考慮して、通常の丸め技法を適用することによって解釈されるべきである。本発明のいくつかの実施形態の広い範囲を説明する数値範囲およびパラメータは、近似値であるにもかかわらず、特定の実施例に記載された数値は、実施可能な限り正確に報告されている。本発明のいくつかの実施形態に示した数値は、それぞれの試験測定値に見られる標準偏差から必然的に生じるある一定の誤差を含んでもよい。
【００３１】
文脈により反対であることが示されない限り、本明細書に記載される全ての範囲は、それらの端点を含むと解釈されるべきであり、無制限の範囲は、商業的に実用的な値のみを含むと解釈されるべきである。同様に、文脈により反対であることが示されない限り、値の全ての列挙は、中間値を含むと見なされるべきである。
【００３２】
本明細書の説明において、また特許請求の範囲を通して使用される場合、文脈から明らかにそうでないことが示されない限り、「ａ」、「ａｎ」および「ｔｈｅ」の意味は、複数への言及を含む。また、本明細書の説明において使用される場合、「中に（ｉｎ）」の意味は、文脈により明らかにそうでないことが示されない限り、「中に（ｉｎ）」および「上に（ｏｎ）」を含む。
【００３３】
本明細書における値の範囲の列挙は、その範囲内に含まれるそれぞれの別々の値を個々に指す簡潔な方法として役立つことを単に意図している。本明細書において特に指定がない限り、それぞれの個別の値は、あたかも本明細書で個別に列挙されているかのように、本明細書に組み込まれる。本明細書中に記載される全ての方法は、本明細書中において指示がない限り、または文脈によって明らかに矛盾しない限り、任意の適切な順序で実施することができる。本明細書の特定の実施形態に関して提供されるありとあらゆる例、または例示的な言語（例えば「など」）の使用は、本発明をよりよく明らかにすることを単に意図したものであり、特許請求の範囲に記載されていない場合には、本発明の範囲を限定するものではない。本明細書中のいかなる言語も、本発明の実施に必須の、特許請求の範囲に記載されていない要素を示すと解釈されるべきではない。
【００３４】
本明細書に開示された本発明の代替要素または実施形態の群分類は、限定として解釈されるべきではない。それぞれの群構成要素は、個別に、またはその群の他の構成要素もしくは本明細書に見出される他の要素との任意の組み合わせで、参照および特許請求することができる。利便性および特許性の理由または利便性もしくは特許性の理由から、群の１つまたは複数の構成要素は、群に含めることも、群から削除することもできる。あらゆるそのような包含または削除が生じたとき、ここで、本明細書は、変更されたとおりの群を含み、したがって添付の特許請求の範囲で使用される全てのマーカッシュ群の書面による説明を満たすものと見なされる。
【図面の簡単な説明】
【００３５】
【図１Ａ】相対方向を基準とした、組み合わされた着脱式ディスプレイユニットおよびドッキングステーションの正面図である。
【図１Ｂ】相対方向を基準とした、組み合わされた着脱式ディスプレイユニットおよびドッキングステーションの側面図である。
【図１Ｃ】相対方向を基準とした、組み合わされた着脱式ディスプレイユニットおよびドッキングステーションの等角図である。
【図２】本発明の主題の実施形態による、着脱式ディスプレイユニットの回転ラッチバタフライアセンブリの図である。
【図３Ａ】本発明の主題の実施形態による、ラッチバタフライの等角分離図である。
【図３Ｂ】本発明の主題の実施形態による、ラッチバタフライの正面図である。
【図３Ｃ】本発明の主題の実施形態による、ラッチバタフライの右側面図である。
【図４Ａ】本発明の主題の実施形態による、ラッチ構成要素を強調しているアセンブリの正面図である。
【図４Ｂ】本発明の主題の実施形態による、作動面とラッチタブの背部形状とを示す等角後方斜視からのラッチ構成要素の分離図である。
【図５】本発明の主題の実施形態による、等角斜視からのフレーム構成要素の分離図である。
【図６】本発明の主題の実施形態による、ロック位置にある回転ラッチバタフライアセンブリの切り欠き図である。
【図７】本発明の主題の実施形態による、ラッチバタフライのヘッド構成要素の自由回転を示す図である。
【図８】本発明の主題の実施形態による、ラッチキー穴およびラッチキーを示す図である。
【図９】本発明の主題の実施形態による、ドッキングステーションのラッチフープの詳細図である。
【図１０Ａ】本発明の主題の実施形態による、３点係合ドッキングシステムを組み込んだ着脱式シートバックディスプレイユニットの図である。
【図１０Ｂ】本発明の主題の実施形態による、３点係合ドッキングシステムを組み込んだドッキングステーションの図である。
【図１１】本発明の主題の実施形態による、設置途中のディスプレイユニットを示す図である。
【図１２】本発明の主題の実施形態による、等角後方斜視からの、ドッキングステーションとともに設置された図１０Ａのディスプレイユニットを示す図である。
【図１３】本発明の主題の実施形態による、ドッキングステーションの様々な構成要素の拡大図である。
【図１４】本発明の主題の実施形態による、様々な構成要素を示すディスプレイユニットの背部の拡大図である。
【図１５】本発明の主題の実施形態による、電流制御ピンの詳細断面図である。
【図１６】本発明の主題の実施形態による、ドッキングステーションとの設置中のディスプレイユニットを示す図である。
【図１７】本発明の主題の実施形態による、ドッキングコネクタが係合しており、接点ピンが接点に接触しているが、接点ピンがまだ内側接点ピンに向かって押し戻されていない例を示す図である。
【図１８】本発明の主題の実施形態による、ドッキングステーションのフローティングピンコネクタドックシステムの分解図である。
【図１９】本発明の主題の実施形態による、ドッキングステーションの様々な構成要素の拡大図である。
【図２０】本発明の主題の実施形態による、コネクタ位置合わせ面とキャビティとを含むディスプレイユニットの背部の拡大図である。
【発明を実施するための形態】
【００３６】
以下の説明全体を通して、サーバ、サービス、インタフェース、エンジン、モジュール、クライアント、ピア、ポータル、プラットフォームまたはコンピューティングデバイスから形成された他のシステムに関して多くの言及がなされるであろう。かかる用語の使用は、コンピュータ可読有形非一時的媒体（例えば、ハードドライブ、ソリッドステートドライブ、ＲＡＭ、フラッシュ、ＲＯＭなど）に格納されたソフトウェア命令を実行するようにプログラムされた、少なくとも１つのプロセッサ（例えば、ＡＳＩＣ、ＦＰＧＡ、ＤＳＰ、ｘ８６、ＡＲＭ、ＣｏｌｄＦｉｒｅ（登録商標）、ＧＰＵ、マルチコアプロセッサなど）を有する１つまたは複数のコンピューティングデバイスを表すと見なされることを理解されたい。例えば、サーバは、記載された役割、能力または機能を果たすように、ウェブサーバ、データベースサーバまたは他の種類のコンピュータサーバとして動作する１つまたは複数のコンピュータを含むことができる。開示されたコンピュータベースのアルゴリズム、プロセス、方法または他の種類の命令セットは、開示されたステップをプロセッサに実行させる命令を格納する非一時的な有形のコンピュータ可読媒体を含むコンピュータプログラム製品として具現化することができることを、さらに理解されたい。様々なサーバ、システム、データベースまたはインタフェースは、ＨＴＴＰ、ＨＴＴＰＳ、ＡＥＳ、公開−秘密鍵交換、ウェブサービスＡＰＩ、既知の金融取引プロトコルまたは他の電子情報交換方法に基づき得る、標準プロトコルまたはアルゴリズムを使用してデータをやり取りすることができる。データ交換は、パケット交換ネットワーク、インターネット、ＬＡＮ、ＷＡＮ、ＶＰＮまたは他の種類のパケット交換ネットワークを介して行うことができる。
【００３７】
以下の説明は、本発明の主題の多くの例示的な実施形態を提供する。それぞれの実施形態は、本発明の要素の単一の組み合わせを表すが、本発明の主題は、開示された要素の可能な全ての組み合わせを含むと見なされる。したがって、一実施形態が要素Ａ、要素Ｂおよび要素Ｃを含み、第２の実施形態が要素Ｂおよび要素Ｄを含む場合、本発明の主題はまた、明示的に開示されていなくても、Ａ、Ｂ、ＣまたはＤの他の残りの組み合わせを含むと見なされる。
【００３８】
本明細書で使用する場合、また文脈により他に指示されない限り、用語「に結合される（ｃｏｕｐｌｅｄ  ｔｏ）」は、直接結合（互いに結合される２つの要素が互いに接触する）および間接結合（少なくとも１つの追加要素が２つの要素の間に配置されている）の両方を含むことが意図される。したがって、「に結合されている」および「と結合されている」という用語は、同義語として使用される。
【００３９】
明快さと理解のために、図１Ａ〜図１Ｃは、論じられたシートバックエンターテインメントシステムについての方向に関して、本明細書で論じられた専門用語のための参照を提供するために示される。図１Ａ〜図１Ｃは、組み合わされた着脱式ディスプレイユニット１０１（本明細書では「シートバックユニット」、「着脱式ユニット」またはそれらのいくつかの変形形態もしくは組み合わせと称してもよい）および本発明の主題の基部もしくはドッキングステーション１０２（まとめてエンターテインメントシステム１００と称する）の正面図、側面図および等角図を提供する。
【００４０】
本明細書で論じられる本発明の主題の様々な態様の例示としての一例は、ドッキングステーション１０２／１１００内に設置されるビデオディスプレイユニットを示す、ディスプレイユニット１０１／１０００に言及する。ディスプレイユニット１０１／１０００への言及は、本発明の主題をビデオ機能のみを有する着脱式シートバックユニットに限定することを意図していないことを理解されたい。むしろ、本明細書で論じられかつ示されているディスプレイユニットは、本発明の主題の記載された態様を組み込んだ適切な着脱式ユニットの一例であることを理解されたい。したがって、「ディスプレイユニット」への言及は、それらがビデオ出力能力とオーディオ出力能力との両方または一方を有するか否かにかかわらず、ドッキングステーションからのデータおよび電力またはデータもしくは電力の供給を必要としてもよい他の着脱式モジュール式シートバックユニットなどの、本発明の主題から利益を得るであろう他のシートバックユニットも含むように意図される。例としては、（ビデオ／オーディオ出力有りまたは無しの）コンピュータ装置、サーバ記憶装置などのメディア記憶装置、ネットワーキング装置、ビデオゲーム機などを挙げることができる。
【００４１】
本明細書における「シートバック」ユニットへの言及は、設置を飛行機の座席の後部に限定することを意図していない。本発明の主題のシステムおよび方法は、任意の適用可能な構造または支持体（例えば、客室前部分割構造（ｆｒｏｎｔ−ｏｆ−ｃａｂｉｎ  ｄｉｖｉｄｉｎｇ  ｓｔｒｕｃｔｕｒｅ）、固定壁など）に適用することができ、それにより、ドッキングステーションは、ディスプレイユニットを受容するように設置することができる。
【００４２】
図１Ａの正面図の矢印１１０によって示される方向は、本明細書では大略的に（Ｘ軸およびＹ軸に沿う）「横」方向と呼ばれる。図１Ｂの側面図は、（Ｚ軸に沿う）矢印１２０によって示される「垂直」方向を示す。垂直方向１２０は、シートバックエンターテインメントシステム１００の「前方に向かう」方向または「後方に向かう」方向であると見なすことができる。設置が概ねドッキングステーションに向かう方向を伴い、取り外しが概ねドッキングステーションから離れる方向を伴うため、垂直方向１２０は、ドッキングステーションからの着脱式ディスプレイユニットの設置および取り外しの方向を概ね指すと見なすこともできる。横方向１１０は、図１Ｂの側面図に示されるように、矢印１２０によって示される「垂直」方向に対して略直交する方向と概ね見なすことができる。本明細書に例示された実施形態では、横方向１１０は、ディスプレイ画面の平面およびディスプレイユニットの背部側および／またはドッキングステーションの後部プレートに対しても略平行である。
【００４３】
Ａ）回転ラッチバタフライ機構
本発明の主題の実施形態によれば、不慮の取り外しまたは無許可の者による取り外しを防止しつつ、許可を得た者による着脱式ディスプレイユニットの容易な取り外しを促進するために、シートバックユニットの解除機構は、回転ラッチバタフライ解除を組み込むことができる。
【００４４】
図２は、本発明の主題の実施形態による、着脱式ディスプレイユニット１０１の回転ラッチバタフライアセンブリ２００の例示としての一例である。図２から明らかなように、アセンブリ２００は、フレーム５００内に配置されたラッチバタフライ３００を含む。アセンブリ２００は、ラッチバタフライ３００によって作動されることとなる位置において、フレーム５００に移動可能に結合されたラッチ４００も含む。ラッチバタフライ３００、ラッチ４００およびフレーム５００を以下でより詳細に説明する。
【００４５】
図３Ａは、ラッチバタフライ３００の等角分離図である。図３Ｂおよび図３Ｃは、それぞれ、ラッチバタフライ３００の正面図および右側面図である。図３Ａから明らかなように、ラッチバタフライ３００は、本体３１０と、本体３１０に回転可能に結合されたラッチヘッド３２０と、を含む。
【００４６】
本体３１０は、回転要素３１１と、作動タブ３１２と、回転結合要素３１３と、を含む。
ラッチヘッド３２０は、第１の接点３２１と、第２の接点３２２と、回転結合要素３２３と、を含む。図３Ａ〜図３Ｃでは、第１の接点３２１および第２の接点３２２は、ラッチヘッド３２０の中心から延びるタブとして示されている。図３Ａ〜図３Ｃに示すように、回転結合要素３２３は、ラッチヘッド３２０が垂直回転軸線３３０を中心に回転することができるように、本体３１０の回転結合要素３１３と結合する。第１の接点３２１および第２の接点３２２は、回転軸線３３０の両側に位置付けられている。したがって、結果として生じるトルクが異なるように、力が接点のうちの一方に加えられ、他方の接点に加えられた力が等しくない場合、ラッチヘッド３２０は、回転軸線３３０を中心に自由に回転することとなる。この結果を図７に示す。
【００４７】
図４Ａは、アセンブリ２００の正面図を示し、より暗い陰影でラッチ４００を強調している。図４Ａから明らかなように、ラッチ４００は、ラッチ本体４１０を含み、２つのラッチタブ４３１、４３２がラッチ本体４１０から突出している。ラッチ４００は、ガイドポスト４２０を介してフレーム５００に移動可能に結合されており、ガイドポスト４２０は、フレーム５００に固定可能に取り付けられ、対応する開口部を介してラッチ本体４１０を貫通している。したがって、ラッチ本体４１０は、フレーム５００内でガイドポスト４２０の長さに沿って移動することができる。ラッチ４００は、ガイドポスト４２０のうちの２つの周りに配置されて示された、ばね４２１も含む。ばね４２１は圧縮ばねであり、したがって、ばねに対して作用する力がなくても、ラッチ本体４１０が図４Ａに示す「ロック」位置または「取付」位置（ページ上で「上向き」、正のＹ方向）にあるように、ばね４２０はラッチ本体４１０に力を及ぼす。ラッチ４００は、その動きがドッキングステーションからのディスプレイユニットの解除を引き起こすため、解除機構であると見なすことができる。
【００４８】
図４Ｂは、等角後方斜視からのラッチ４００の分離図を示し、ラッチタブ４３１、４３２の背部形状および作動面４４０を示す。ラッチタブ４３１、４３２の湾曲した背部形状は、ラッチバタフライ３００を介したラッチ４００の作動を必要とせずに、ディスプレイユニット１０１をドッキングステーション１０２内にドッキングすることを可能にする。設置中、ラッチループ４５１、４５２と対応するラッチタブ４３１、４３２の湾曲面との接触は、ラッチタブ４３１、４３２を下向きに押すこととなる。ラッチタブ４３１、４３２がラッチループの縁を通過すると、ラッチループからの抵抗がなくなることにより、ばね４２１がラッチ本体４１０（ひいてはラッチタブ４３１、４３２）をラッチループ４５１、４５２内のロック位置へと上向きに押すことを可能にし、したがって、ディスプレイユニット１０１をドッキングステーション１０２と適切に固定する。
【００４９】
図５は、等角斜視からのフレーム５００の分離図を示す。図５から明らかなように、フレーム５００は、ラッチバタフライ３００の回転要素３１１に嵌合するように寸法決めされた湾曲した内面を有する２つの突出要素５１０を含み、本明細書に記載されているようにタブ３２１、３２２に力が加えられたとき、ラッチバタフライ３００の後方方向での回転を可能にする。図５に示す実施形態では、突出要素５１０は、回転要素３１１を収容することとなるキャビティを画定する湾曲面の一部を形成する長さである。これらの実施形態では、キャビティの残りの領域は、図６に示すように、ディスプレイユニット１０１の後部プレート５３０上の領域５２０によって形成することができる。したがって、組み立てられたとき、回転要素３１１を回転可能に収容することができる完全なキャビティが形成される。この構成は、完全に形成されたキャビティ内に回転要素３１１を別々に設置するためのスペースを残す必要性を排除することによって、キャビティおよび回転要素３１１の容易で確実な組み立てを提供し、一旦組み立てられると、構成要素の破損を起こりにくくし、キャビティからの回転要素３１１の望ましくない取り外しの可能性を増加しにくくすることができる。他の実施形態では、突出要素５１０は、キャビティを形成するために湾曲面の残り部分と相補的な構成要素を必要とせずに、キャビティの大部分またはさらには全体が突出要素５１０自体の湾曲面によって形成されるようなサイズとすることができる。
【００５０】
図６は、ロック位置にあるアセンブリ２００の切り欠き図を示す。ラッチ４００を作動させ、ディスプレイユニット１０１をドッキングステーション１０２から解除するために、ラッチバタフライ３００は、両方の接点３２１、３２２の後方方向での係合を介して回転軸線３４０を中心に回転させられる。この回転により、作動タブ３１２が、ラッチ４００の対応する作動面４２０に下向きの力を加え、ラッチ本体４１０（ひいてはラッチタブ４３１、４３２）を下向きに（例えば、解除位置に向かって）動かす。ラッチタブ４３１、４３２の十分な下向きの移動（例えば、解除位置への到達）は、ラッチタブ４３１、４３２をドッキングステーション１０２の対応するラッチフープ４５１、４５２から離脱させることになり、したがって、ディスプレイユニット１０１をドッキングステーション１０２から解放する。
【００５１】
力が接点３２１、３２２に加えられなくなると、圧縮ばね４２１によって及ぼされる力は、ラッチ本体４１０を上向きに押し戻す。ラッチ本体４１０が上向きに移動するにつれて、作動面４２０は、作動タブ３１２を押し進めることとなり、ラッチバタフライ３００をデフォルトの「ロック」位置まで前方に向かって回転させる。
【００５２】
シートバックエンターテインメントシステムおよび他の同様の設備において、ドッキングステーションは、ディスプレイユニット１０１が設置されるとディスプレイユニット１０１の前側が周囲の構造（例えば、背もたれ、客室分割壁（ｃａｂｉｎ−ｄｉｖｉｄｉｎｇ  ｗａｌｌ）など）と面一にまたは面一に近くなるように、座席（または他の構造）内に設置される。したがって、ディスプレイユニット１０１がドッキングステーション１０２とともに設置されるとき、ディスプレイユニット自体１０１の組み合わせ構造、およびドッキングステーションを収容する構造は、ラッチバタフライ２１０への直接アクセスを妨げる。ディスプレイユニット１０１がドッキングステーション１０２とともに設置されるときにラッチバタフライ２１０を作動させるために、ディスプレイユニット１０１は、図８に示されるように、ラッチキー穴８１０および８２０を含む。ラッチキー穴８１０および８２０は、それぞれ、第１の接点３２１および３２２と整列している。したがって、接点３２１、３２２は、キー穴８１０および８２０と位置合わせされてキー穴８１０および８２０の中に挿入することができる突起８３１および８３２を有する、（図８に示すが、例示目的のためであり、縮尺どおりであると解釈されることを意図しない）ラッチキー８３０などのロック解除ツールを使用することによって、それぞれのキー穴８１０および８２０を介して、作動させるためにアクセスされる。ラッチキー８３０の突起８３１、８３２は、突起８３１、８３２が、キー穴８１０および８２０に挿入されたときに接点３２１、３２２の両方と接触し、したがって接点３２１、３２２の両方に力を及ぼすことができるように配置されている。図８の例示としての一例に示すように、ラッチキー８３０は、ハンドル８３３も含むことができる。
【００５３】
したがって、突起が挿入方向にさらに進むようにラッチキー８３０が押されるのに伴って、両方の突起によって接点３２１、３２２のそれぞれに及ぼされるトルクが互いに打ち消し合い、ラッチバタフライ２１０が３３０の回転軸線を中心に回転することを防止する。したがって、ラッチキーによって接点３２１、３２２に及ぼされる釣り合った力は、ラッチヘッド３２０を内側に押し、回転軸線３４０を中心にラッチヘッド３２０を回転させ、それによって、上述のようにラッチ４００を作動させて、ディスプレイユニット１０１を解除する。
【００５４】
両方の接点３２１、３２２は、ラッチ４００を作動させるために同時に作動されなければならないため、無許可の当事者は、単一の要素をキー穴８１０、８２０の一方に導入することによってディスプレイユニット１０１を取り外すことができない。こうして、ディスプレイユニット１０１の不正な取り外しが防止される。
【００５５】
（本明細書に示されている実施形態などの）大部分の実施形態では、接点３２１、３２２が回転軸線３３０に関して対称であるため、突起は、長さが等しくなる。しかしながら、接点３２１、３２２が対称でない場合、突起の長さは、突起をキー穴８１０、８２０に挿入すると接点３２１、３２２の両方を同時に作動させることができるようなものであることが想到される。突起は、接点３２１および３２２に到達するのに十分な長さであり、また、ラッチバタフライ２１０がラッチタブ４３１、４３２をドッキングステーション１０２の対応するラッチループから離脱させるのに十分に回転軸線３４０を中心に回転したときの、接点の移動を考慮するのにも十分な長さである。
【００５６】
図９は、ディスプレイユニット１０１がドッキングステーション１０２内に設置されたときにラッチタブ４３１、４３２をそれぞれ受容する、ドッキングステーション１０２のラッチフープ４５１、４５２の詳細図を示す。
【００５７】
Ｂ）３点係合ドッキングシステム
図１０Ａおよび図１０Ｂは、それぞれ、本発明の主題の実施形態の３点係合ドッキングシステムを組み込んだ、着脱式シートバックディスプレイユニット１０００およびドッキングステーション１１００の図を提供する。（ディスプレイユニット１０００の背部側または後方側を図示する）図１０Ａから明らかなように、ディスプレイユニット１０００は、ヒンジフック１０１０および１０２０と、ディスプレイ取付機構１０３０と、を含む。次に、ドッキングステーション１１００は、図１０Ｂに示すように、ヒンジフック１０１０および１０２０にそれぞれ対応するヒンジループ１１１０および１１２０と、ディスプレイ取付機構１０３０に対応するドッキング取付機構１１３０と、を有する。ディスプレイ取付機構１０３０および対応するドッキング取付機構１１３０は、３点係合ドッキングシステムの実施形態の説明のために、取付機構またはラッチ機構１０３１と総称することができる。
【００５８】
本明細書における検討において例示される実施形態などの実施形態では、ラッチ機構１０３１は、上述の回転ラッチバタフライ機構２００（および対応するドッキングステーション構成要素）を含むことができる。しかしながら、３点係合ドッキングシステムについては、既存のシートバックユニットに使用されている従来のラッチも適切であり得ることが想到される。
【００５９】
ヒンジフック１０１０、１０２０をドッキングステーション１１００のこれらの対応するヒンジループ１１００、１１２０に挿入することによって、（図１Ａ〜図１Ｃのディスプレイユニット１０１にも対応する）ディスプレイユニット１０００は、（図１Ａ〜図１Ｃのドッキングステーション１０２に対応する）ドッキングステーション１１００内に設置され、次いで、ディスプレイ取付機構１０３０がドッキングステーション１１００の対応するドッキング取付機構１１３０と係合するまで、ディスプレイユニット１０００を上向きに回転させる。図１１は、設置途中のディスプレイユニット１０００を示す。図１２は、等角後方斜視からの、ドッキングステーション１１００とともに設置された図１０Ａのディスプレイユニット１０００を示し、それぞれヒンジループ１１１０、１１２０に設置されたヒンジフック１０１０、１０２０を示す。設置されると、フック１０１０、１０２０の端部は、それぞれ、ヒンジループ１１１０、１１２０の下面に接触して、ヒンジループを「留め」、したがって、ディスプレイユニット１０００を正のＹ軸方向の動きに対して固定すると同時に、取付機構１０３１を適切に解除してからユニット１０００を下向きに回転させてフック１０１０、１０２０をループ１１１０、１１２０から解除できるようにしなければ、ユニットをＺ軸方向にループから取り外せないように固定する。ヒンジフック１０１０、１０２０の厚さおよびＺ軸に沿ったヒンジフープの寸法は、ディスプレイユニット１０００が設置されたときに、ヒンジフック１０１０、１０２０がヒンジループ１１１０、１１２０内でＺ軸方向に自由に動くことができないようになっている。設置を容易にするために、フックの厚さは、フックの端部の厚さが対応するヒンジループ内に導入され易くなるように、端部のより薄い厚さから先細りにすることができ、次いで、厚さを先細りにすることで、ディスプレイユニット１０００が所定の位置へと回転したときに、フックをループ内の適切な場所に誘導することに役立つ。
【００６０】
図１０Ｂの実施形態ならびに図１３および図１９の拡大図から明らかなように、ドッキングステーション１１００は、背部パネル１１５０から離れる方向に外向きに延びる一対の位置合わせタブ１１４０を含む。位置合わせタブ１１４０は、位置合わせタブ１１４０の端部から外向きに延びて位置合わせタブ１１４０の周囲に配置されたテーパ面１１４１と、側面１１４２と、それぞれ上面１１４３および底面１１４４と、湾曲したコーナー面１１４５と、を含む。ドッキングステーション１１００へのディスプレイユニット１０００の設置中に、これらの位置合わせタブ１１４０は、ディスプレイユニット１０００の対応するディスプレイ位置合わせ面１０４０と接触して、ディスプレイユニット１０００のコネクタ１０６０をドッキングステーション１１００の対応するコネクタ１１６０と位置合わせさせる。
【００６１】
コネクタ１０６０および１１６０は、コネクタインタフェースの対応する接続可能な端部であり、データ、電力、ビデオおよび／またはオーディオ接続に適した任意の種類のコネクタインタフェースを含むことができる。典型的には、コネクタインタフェースは、「オス／メス」の物理的な対で配置されているが、コネクタインタフェースは、磁気コネクタ、または相補的なコネクタ端部を有する他のコネクタインタフェースも含むことができる。本明細書に例示する例は、ピン接続インタフェースを示すが、他の適切なインタフェースの例には、ＨＤＭＩ（登録商標）、ＵＳＢ、専用コネクタなどを挙げることができる。
【００６２】
位置合わせ面１０４０は、図１０の簡略図には示されていないが、図１４に示されている。図１４の実施形態などの実施形態では、ディスプレイ位置合わせ面１０４０は、ディスプレイユニット１０００の位置合わせ構成要素１０５０の一部と見なすことができる。図１４の実施形態は、説明を明確にする目的で１つだけが標識された、鏡像の関係にある２つの位置合わせ構成要素１０５０を示す。ディスプレイ位置合わせ面１０４０に加えて、位置合わせ構成要素１０５０は、側面１０５２、上面１０５３および底面１０５４によって画定されたキャビティ１０５１も含む。
【００６３】
したがって、テーパ状の位置合わせ面１０４０と位置合わせタブ１１４０のテーパ面１１４１との接触により、位置合わせタブ１１４０をキャビティ１０５１内に誘導することとなる。キャビティ１０５１は、挿入された位置合わせタブ１１４０が１つまたは複数の横方向に動くことを抑制されるように、その対応する位置合わせタブ１１４０に嵌合するように寸法決めされる。したがって、位置合わせタブ１１４０がキャビティ１０５１内に挿入されると、位置合わせタブ１１４０の表面１１４２、１１４３、１１４４とキャビティ１０５１の対応する表面１０５２、１０５３、１０５４（およびそれらのそれぞれの湾曲した角）との間の接触は、ドッキングステーション１１００に対するディスプレイユニット１０００の横方向の動きを防止する。
【００６４】
本明細書に示される実施形態では、２つの位置合わせタブ１１４０が使用され、したがって、鏡像の関係にあるキャビティ１０５１は、３つの側部を有するだけでよい。様々な横方向への移動の制限を分担することができるので、使用される位置合わせタブと対応するキャビティとの数に応じて、それぞれのキャビティに必要とされる側面の数が変化し得る。例えば、単一のキャビティおよび単一の位置合わせタブのみが使用される実施形態では、対応する側面の係合により全ての横方向の動きを制限するには、単一のキャビティが全ての側面で位置合わせタブに接触することを必要とするであろう。
【００６５】
これらの実施形態の変形形態では、横方向の動きを特定の方向に制限することが所望され得、他の方向に制限する必要はない。これらの実施形態では、位置合わせタブ１１４０が嵌合して、これらの所望の方向への動きのみを制限するように、キャビティ１０５１を寸法決めすることができる。したがって、（Ｘ軸に沿う）左右の「横向き」方向には動きが制限されるが、（Ｙ軸に沿う）「上」または「下」には制限されない場合、位置合わせタブ１１４０および対応するキャビティ１０５１は、完全に挿入されたタブ１１４０の側面１１４２がキャビティ１０５１の対応する側面１０５２と接触するが、タブ１１４０のそれぞれの上面および底面とキャビティ１０５１との間に空間があるように寸法決めされるであろう。この許容差は、特にディスプレイユニット１０００の設置がヒンジフックを中心にした所定の位置への回転を必要とする場合に、ディスプレイユニット１０００の設置および取り外しをより容易にすることができる。
【００６６】
タブ１１４０とキャビティ１０５１との間の嵌合が、ドッキングステーション１１００に対するディスプレイユニット１０００の横方向の動きを妨げるので、ヒンジフック１０１０、１０２０およびそれぞれのヒンジループ１１１０、１１２０は、いくらかの許容差またはＸ軸に沿うある程度の横方向の動きを有するように寸法決めすることができる。このように、ヒンジフック１０１０、１０２０とそれぞれのヒンジループ１１１０、１１２０との間の位置合わせは、コネクタ１０６０、１１６０間の適切な接続を確実に達成かつ維持するために絶対的に正確である必要はない。したがって、これらの実施形態では、ヒンジループ１１１０、１１２０の横方向寸法は、それぞれのヒンジフック１０１０、１０２０の横方向寸法よりも大きい。例えば、ヒンジループの横方向寸法は、対応するヒンジフックの横方向寸法よりも、少なくとも５％、１０％、２５％、さらには５０％大きくすることができる。
【００６７】
他の実施形態では、ディスプレイ位置合わせ面１０４０は、位置合わせ構成要素１０５０の他の態様なしに、単にディスプレイユニット１０００の後部から延びるテーパ面またはタブとすることができ、ディスプレイ位置合わせ面１０４０は、面１０４０と位置合わせタブ１１４０のテーパ面との間の接触がディスプレイユニット１０００とドッキングステーション１１００とを位置合わせさせるように配置されることが考えられる。
【００６８】
Ｃ）電流制御システム
本発明の主題の実施形態では、ドッキングステーション１１００から着脱式ディスプレイユニット１０００への電流の供給は、電流制御ピンが係合されるまで、電流がドッキングステーションからによってディスプレイユニット１０００に供給されないように、電流制御ピンを含む電流制御システムを介して制御することができる。早期の電流供給による、乗員もしくは乗客に対する感電負傷のおそれまたはシステムの損傷のおそれを避けるために、本発明の主題の電流制御システムは、ディスプレイユニット１０００のコネクタ１０６０が１１６０のコネクタと適切に係合していない場合には、電力が供給されているドッキングステーション１１００によって、電流が供給されないことを保証する。
【００６９】
図１４は、本発明の主題の実施形態による、電流制御ピン１０７０とコネクタインタフェース１０６０とを含むディスプレイユニット１０００の背部領域の説明図を示す。電流制御ピン１０７０は、シートバックディスプレイユニット１０００をドッキングステーション１１００に接続する際の操作の順序を可能にする。
【００７０】
図１５は、電流制御ピン１０７０の詳細断面図を示す。図１５から明らかなように、ばね１０７４（好ましくは圧縮ばね）は、第１の端部で接点ピン１０７２の内側キャビティ１０７３内に、第２の端部で内側接点ピン１０７１の周りに部分的に配置される。電流制御ピン１０７０は、外側ハウジング１０７５と、内側ハウジング１０７６と、も含む。内側ハウジング１０７６は、接点ピンのタブ１０７２ａと接触することになるタブ１０７６ａを含むことができ、したがって、外側ハウジング１０７５内での接点ピン１０７２の外向きの移動を制限する。
【００７１】
内側接点ピン１０７１は、接点ピンがディスプレイユニット１０００の適切な内部構成要素と、電気的かつ通信可能にまたは電気的もしくは通信可能に結合されるように、ディスプレイユニット１０００の背部（後部プレートなど）に取り付けられる。図１５の例では、内側ハウス１０７６もディスプレイユニット１０００の背部に取り付けられている。次いで、外側ハウジング１０７５は、内側ハウジング１０７６と結合される。
【００７２】
図１５は、接点ピン１０７２に外力が加えられていないときのポゴピン１０７０の状態を示す。このように、図１５では、接点ピン１０７２は、外向きに完全に延びている。図１５に示す状態では、ばね１０７４は、完全に無負荷の状態であるかまたは実施形態ではわずかに圧縮された状態にあるため、ばね１０７４は、接点ピン１０７２に力を加えて、（タブ１０７２ａがタブ１０７６ａに当接しながら）接点ピン１０７２を完全に伸張した状態に維持する。
【００７３】
電流制御システムは、図１３に示すように、ドッキングステーション１１００上に、対応する接点１１７０も含む。ディスプレイユニット１０００上の接点ピン１０７２およびドッキングコネクタ１０６０、ならびにドッキングステーション１１００上の接点１１７０およびドッキングコネクタ１１６０は、ディスプレイユニット１０００がドッキングステーション１１００に設置されたときに、ドッキングコネクタ１０６０、１１６０および接点ピン１０７２および接点１１７０がそれぞれ位置合わせするように配置される。
【００７４】
図１６は、ドッキングステーション１１００との設置中のディスプレイユニット１０００を、コネクタ１０６０、１１６０の相対位置、および（接点ピン１０７２が視認できる）電流制御ピン１０７０と接点１１７０との相対位置の拡大図とともに示す。
【００７５】
ディスプレイユニット１０００がドッキングステーション１１００に設置されると、接点ピン１０７２は、接点１１７０と接触する。シートバックユニット１０００が最終設置位置により近づくにつれて、（接点ピン１０７２が接点１１７０に接触している）シートバックユニット１０００がドッキングステーション１１００に向かって動くことで、ばね１０７４が圧縮され、内側接点ピン１０７１が接点ピン１０７２と接触するまで、内側接点ピン１０７１を接点ピン１０７２に向かって動かし、こうして、電流制御ピン１０７０を「係合させる」。
【００７６】
実施形態では、接点１１７０は、電流源に結合され、導電性材料から作られている。これらの実施形態では、内側接点ピン１０７１および接点ピン１０７２は、導電性材料から作られ、内側接点ピン１０７１は、ディスプレイユニット１０００の電力引込構成要素に結合されている。これらの実施形態では、電流は、接点１１７０を介して、係合した接点ピン１０７２と内側接点ピン１０７１とを通って供給される。したがって、内側接点ピン１０７１と接点ピン１０７２とが係合されるまで、電流は、接点１１７０からディスプレイユニット１０００に流れない。
【００７７】
他の実施形態では、接点ピン１０７０は、信号経路を完成させるかまたは信号回路を閉じるように機能し、それにより、接点１１７０は、接点ピン１０７２と内側接点ピン１０７１とが係合している場合、ドッキングステーション１１００内のコントローラに巧みに戻されるだけの信号を発信するように機能する。これらの実施形態では、ドッキングステーション１１００のコントローラがディスプレイユニット１０００からリターン信号を受信したときにのみ、ドッキングステーションは、（コネクタ１１６０が電力の供給もできる場合にはコネクタ１１６０を介して、または、同様に接触している別個の電源コネクタインタフェースを介して）電流の供給を開始する。
【００７８】
内側接点ピン１０７１、接点ピン１０７２および内側ハウジング１０７６は、設置中に、接点ピン１０７２が内側接点ピン１０７１に接触するのに十分に移動する前に、ドッキングコネクタ１０６０、１１６０が係合するように寸法決めされる。したがって、ドッキングコネクタ１０６０、１１６０は、好ましくは、インタフェース１０６０のピンをインタフェース１１６０の対応するソケット内に完全に挿入することを必要とせずに動作が可能なコネクタインタフェースのコネクタであるため、ドッキングステーション１１００の方向へのある程度の追加移動により、電流制御ピン１０７０の係合の完成を可能にする。図１７は、ドッキングコネクタ１０６０、１１６０が係合しており、接点ピン１０７２が接点１１７０に接触しているが、接点ピンがまだ内側接点ピン１０７１に向かって押し戻されていない事例（すなわち、接点ピン１０７２の視認できる領域の量は、図１６と略同じである）を示す。少なくとも間隙１７０１および１７０２ならびにコネクタ１０６０の視認できるピンの量によって示されるように、ディスプレイユニット１０００が完全に設置された位置にくる前に取り得るさらなる移動量が存在する（このさらなる移動量は、ディスプレイユニット１０００とドッキングステーション１１００との間の間隙１７０１、１７０２の寸法、およびコネクタ１０６０のピンの対応するソケット内への移動の残りの寸法、の両方または一方以下であり得る）。図１７のスナップショットが、コネクタ１０６０、１１６０が係合していると見なすことができる点であると仮定すると、内側接点ピン１０７１と接触する接点ピン１０７２の移動量は、この残りの移動以下となる。
【００７９】
ディスプレイユニット１０００がロック解除され、ドッキングステーション１１００から離れる方向に引かれると、操作の順序は、設置の順序と逆になる。すなわち、ディスプレイユニット１０００がドッキングステーション１１００から離れる方向に引かれると、ばね１０７４は、ドッキングコネクタ１０６０、１１６０が離脱する前に、電流制御ピン１０７０を離脱させることとなる。したがって、ディスプレイユニット１０００への電流の供給は、ドッキングコネクタ１０６０、１１６０が分離される前に中断されることとなる。
【００８０】
Ｄ）フローティングコネクタドックシステム
フローティングピンコネクタドックは、そのピン（または他のインタフェース）コネクタ１０６０がドッキングステーション１１００のピン（または他のインタフェース）コネクタ１１６０と正確に位置合わせされていないディスプレイユニット１０００のドッキングを可能にする。
【００８１】
図１８は、本発明の主題の実施形態による、ドッキングステーションのフローティングピンコネクタドックシステム１８００の分解図を示す。
図１８に示すように、フローティングコネクタドックシステム１８００は、コネクタ１１６０が取り付けられるコネクタインタフェースプレート１８１０を含む。コネクタインタフェースプレート１８１０は、実在パネル１８２０と前部パネル１８３０との間に設置されている。ピンコネクタ１１６０の位置ずれを考慮するために、フローティングピンコネクタドックシステム１８００は、コネクタインタフェースプレート１８１０がパネル１８２０、１８３０に対して動くことを可能にする。ある程度の動きの自由度を可能にするために、コネクタインタフェースプレート１８１０は、プレート１８１０のピン開口部１８１１を通って嵌合するガイドピン１８２１（例示的な実施形態では３つのピンが示されているが、考えられるピンの数は３より少ないかまたは３より多くてもよい）を介して所定位置に保持される。ピン開口部１８１１の面積およびそれらの対応するピン１８２１の断面積には、コネクタインタフェースプレート１８１０がピン１８２１に対して動くことを可能にする許容差がある。許容差は、コネクタ１１６０のサイズ、特定のコネクタ１１６０に必要なコネクタインタフェースプレート１８１０のサイズ、および他の要因に依拠し得る。考えられる許容差の例には、０．５ｍｍ、１ｍｍ、２ｍｍ、５ｍｍ、７．５ｍｍおよび１０ｍｍを挙げることができる。
【００８２】
前部パネル１８３０は、前部パネル１８３０と背部パネル１８２０との間に相対移動がないように、背部パネル１８２０に堅固に取り付けられている。前部パネル１８３０は、開口部１８３１を含み、その開口部１８３１を通ってコネクタ１１６０にアクセスして、着脱式ディスプレイユニット１０００の対応するコネクタ１０６０と接続することができる。
【００８３】
上記のセクションＣ（および図１８にも示す）に記載された接点ピンを含む本発明の主題の実施形態では、開口部１８３１は、ディスプレイユニット１０００の対応する接点ピン１０７０用の接点１１７０へのアクセスも提供する。
【００８４】
ピン１８２１およびピン開口部１８１１と同様に、開口部１８３１の面積は、前部パネル１８３０に対するコネクタ１１６０および接点１１７０の動きの許容差をもたらすのに十分大きいため、許容量だけずれていたとしても、コネクタ１１６０および接点１１７０は、開口部１８３１を介してアクセス可能なままである。開口部１８３１によってもたらされる許容差は、好ましくは、ピン１８２１とピン開口部１８１１との間の許容差以上である。
【００８５】
組み立てられたパネル１８２０、１８３０内でコネクタインタフェースプレート１８１０がガタガタと動き回らないように保つために、システム１８００は、背部パネル１８２０とコネクタインタフェースプレート１８１０との間に配置されたガイドピン１８２１上に設置された皿ばね１８４０を含む。図１８は、皿ばね１８４０とコネクタインタフェースプレート１８１０の下側との間で使用されるワッシャ１８４１も示す。
【００８６】
フローティングコネクタ１１６０をディスプレイユニット１０００の対応するコネクタ１０６０と位置合わせするために、システム１８００は、コネクタ１１６０の両側に配置された、コネクタインタフェースプレート１８１０に取り付けられた位置合わせタブ１８５０も含む。位置合わせタブ１８５０は、コネクタインタフェースプレート１８１０からコネクタ１０６０を越えて外向きに延び、傾斜面またはテーパ面１８５１を含む。図１９は、前部プレート１８３０が取り外された状態での設置されたコネクタインタフェースプレート１８１０の図を示し、位置合わせタブ１８５０の明瞭な図を示す。
【００８７】
これらの実施形態では、ディスプレイユニット１０００は、図２０に示すように、テーパ状の位置合わせ面２００１とキャビティ２００２と、も含むことができる。キャビティ２００２は、位置合わせタブ１８５０を受容するように寸法決めされている。したがって、ディスプレイユニット１０００のコネクタ１０６０とドッキングステーション１１００のコネクタ１１６０との位置がずれている場合、位置合わせタブ１８５０のテーパ面１８５１とテーパ状の位置合わせ面２００１との接触により、コネクタインタフェースプレート１８１０は、コネクタ１１６０がコネクタ１０６０と位置合わせするように動かされることとなる。一旦完全に位置合わせされると、キャビティ２００２内へ位置合わせタブ１８５０を挿入することで、コネクタ１１６０、１０６０は、係合中および係合後も確実に位置合わせされたままとなる。
【００８８】
コネクタインタフェースプレート１８１０は、コネクタ１１６０と、ドッキングステーション内に収容された対応する静的ＰＣＢ（これは、データの外部ソース／レシピエント（例えば、他のコンピューティングデバイス、シートバックとドッキングステーションとの両方または一方に統合された記憶装置などと通信する、ドッキングステーションのネットワークコンポーネント）へのデータ接続を提供する）と、の間のデータ接続を提供するＰＣＢとすることができる。コネクタインタフェースプレート１８１０とドッキングステーションの静的ＰＣＢ構成要素との相対移動を考慮するために、コネクタインタフェースプレート１８１０および静的ＰＣＢ構成要素は、有線接続およびフレキシブルＰＣＢ基板領域の両方または一方を介して接続することができる。実施形態では、コネクタインタフェースプレート１８１０および静的ＰＣＢ構成要素は、静的ＰＣＢ基板領域に対するインタフェースプレート１８１０の動きまたは位置に関係なく、対応する位置合わせ接点が接触したままであるように、インタフェースプレート１８１０の可能な移動距離を考慮するのに十分な寸法を有する、対応する位置合わせ接点を有することができる。
【００８９】
Ｅ）放熱システム
本発明の主題の実施形態では、放熱システム２１００は、シートバックユニットからの熱負荷をドッキングステーションと分担することを可能にする。
【００９０】
図１０Ａは、ディスプレイユニット１０００に対応する放熱システム２１００の構成要素を示す。図１０Ａにおいてわかるように、ディスプレイユニット１０００のＰＣＢメイン基板２１１０は、ヒートシンク２１２０と接触している。したがって、この例では、ＰＣＢメイン基板２１１０は、「熱源」と見なすことができる。 ヒートシンク２１２０は、熱伝導性材料から作られている。板ばね２１３０は、熱伝導性材料から作られ、ヒートシンク２１２０に熱的に結合されている。図１０Ａは、３つの板ばね２１３０を示しているが、板ばね２１３０の量は、ディスプレイユニット１０００のサイズ、放散される必要のある熱の量、板ばね２１３０のサイズ、ディスプレイユニット１０００の背部およびドッキングステーション１１００の両方または一方の配置（したがって、板ばね２１３０の配置に利用可能な空間）などの要因を考慮して変わり得ることが想到される。
【００９１】
これらの実施形態では、ドッキングステーション１１００は、板ばねを介したドッキングステーション１１００の熱伝導性要素への伝導によって熱が伝達されるように、板ばね２１３０と接触するように位置合わせされた少なくとも１つの熱伝導性要素を含み、熱負荷を担う表面積の量を増加させる。本明細書において例示された実施形態では、図１０Ｂに示す背部プレート１１５０は、熱伝導性材料から作られ、熱伝導性要素として使用されている。他の実施形態では、別個の熱伝導性材料をドッキングステーション１１００に取り付けることができる。
【００９２】
図１２は、ドッキングステーション１１００とドッキングされたディスプレイユニット１０００の放熱システム２１００を示す。図１２から明らかなように、（プレート１１５０の穿孔を通して視認できる）板ばね２１３０は、ドッキングステーション１１００の背部プレート１１５０と接触している。
【００９３】
特定の実施形態では、放熱システムは、ヒンジフック１０１０、１０２０を使用してドッキングステーション１１００に熱を伝達することもできる。図１０Ａに示すこれらの実施形態では、ヒンジフック１０１０、１０２０は、熱伝導性材料から作ることができ、ヒートシンク２１２０と熱的に結合することができる。図１０Ａの例では、ヒンジフック１０１０、１０２０は、それぞれ、熱伝導性要素２１２１および２１２２を介してヒートシンク２１２０と熱的に結合されている。これらの実施形態では、ヒンジループ１１１０、１１２０も熱伝導性材料から作られ、ドッキングステーション１１００の熱伝導性要素と熱的に結合されている。図１０Ｂに示す例では、ヒンジループ１１１０、１１２０は、後部プレート１１５０と一体構造であり、そのため、同じ熱伝導性材料から作られている。
【００９４】
本明細書の発明概念から逸脱することなく、既に記載されたもの以外にもさらに多くの修正が可能であることが当業者には明らかであろう。したがって、本発明の主題は、添付の特許請求の範囲の趣旨を除き、制限されるべきではない。さらに、明細書と特許請求の範囲との両方を解釈する際に、全ての用語は、文脈と矛盾しない最も広い方法で解釈されるべきである。特に、用語「備える」および「備えている」は、参照される要素、構成要素もしくは工程が存在してもよいか、または利用されてもよいか、または明示的に参照されていない他の要素、構成要素もしくは工程と組み合わされてもよいことを示す非排他的な様式で、要素、構成要素もしくは工程を指すものとして解釈されるべきである。明細書の特許請求の範囲が、Ａ，Ｂ，Ｃ，…，Ｎからなる群から選択される少なくとも１つのものを指す場合、テキストは、その群から１つの要素のみを必要とし、ＡおよびＮまたはＢおよびＮなどではないと解釈すべきである。
【図１Ａ】
2019532509.tif 000003
【図１Ｂ】
2019532509.tif 000004
【図１Ｃ】
2019532509.tif 000005
【図２】
2019532509.tif 000006
【図３Ａ】
2019532509.tif 000007
【図３Ｂ】
2019532509.tif 000008
【図３Ｃ】
2019532509.tif 000009
【図４Ａ】
2019532509.tif 000010
【図４Ｂ】
2019532509.tif 000011
【図５】
2019532509.tif 000012
【図６】
2019532509.tif 000013
【図７】
2019532509.tif 000014
【図８】
2019532509.tif 000015
【図９】
2019532509.tif 000016
【図１０Ａ】
2019532509.tif 000017
【図１０Ｂ】
2019532509.tif 000018
【図１１】
2019532509.tif 000019
【図１２】
2019532509.tif 000020
【図１３】
2019532509.tif 000021
【図１４】
2019532509.tif 000022
【図１５】
2019532509.tif 000023
【図１６】
2019532509.tif 000024
【図１７】
2019532509.tif 000025
【図１８】
2019532509.tif 000026
【図１９】
2019532509.tif 000027
【図２０】
2019532509.tif 000028
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
着脱式エンターテインメントユニット用の取付システムであって、
ラッチバタラフライと、
カバーと
を備え、
前記ラッチバタラフライが、
回転構成要素を含む本体であって、前記回転構成要素は、前記本体が第１の回転軸線を中心に回転することを可能にするように構成され、前記本体を前記第１の回転軸線を中心にロック位置からロック解除位置まで回転させることにより、解除機構を作動させる、本体と、
前記本体に回転可能に結合されたラッチヘッドであって、前記ラッチヘッドは、第２の回転軸線を中心に前記本体に対して前記ラッチヘッドが回転することを可能にするように構成され、前記ラッチヘッドは、前記第２の回転軸線の第１の側に配置された第１の接点と、前記第２の回転軸線の第２の側に配置された第２の接点と、を有する、ラッチヘッドと、
を備え、
前記カバーが、前記第１の接点と位置合わせされた第１の穿孔と、前記第２の接点と位置合わせされた第２の穿孔と、を有し、前記本体と前記ラッチヘッドとの前方に配置されている、着脱式エンターテインメントユニット用の取付システム。
【請求項２】
前記ラッチヘッドの前記第１の接点および前記第２の接点は、前記第１の接点および前記第２の接点を等しいトルクで作動させることで前記第１の回転軸線を中心に前記ロック解除位置の方向へ前記本体を回転させるように、前記第２の回転軸線のそれぞれ前記第１の側および前記第２の側に配置されている、請求項１に記載の取付システム。
【請求項３】
前記ラッチヘッドの前記第１の接点および前記第２の接点は、前記第１の回転軸線に対してほぼ平行に配置されている、請求項２に記載の取付システム。
【請求項４】
前記取付システムが、ロック解除ツールをさらに備え、
前記ロック解除ツールが、
前記第１の穿孔と位置合わせされ、前記第１の穿孔を通って挿入されて前記第１の接点を作動させるように寸法決めされている、第１の突起と、
前記第２の穿孔と位置合わせされ、前記第２の穿孔を通って挿入されて前記第２の接点を作動させるように寸法決めされている、第２の突起と、を備え、
前記第１の突起および前記第２の突起は、前記本体が前記ロック解除位置にあるときに、それぞれ前記第１の接点および前記第２の接点と接触したままであるのに十分な長さを有する、請求項１に記載の取付システム。
【請求項５】
前記本体は、作動タブをさらに備え、前記解除機構は、前記本体の前記作動タブと位置合わせされた作動面を備え、前記解除機構は、前記作動タブによる作動時に前記本体が前記第１の回転軸線を中心に回転するにつれて、取付位置から解除位置まで動くように構成されている、請求項１に記載の取付システム。
【請求項６】
前記解除機構は、前記作動面を含む解除フレームをさらに備え、前記解除フレームは、第１のロック機構をさらに備え、前記取付位置は、係合されている前記第１のロック機構に対応し、前記解除位置は、離脱されている前記第１のロック機構に対応する、請求項５に記載の取付システム。
【請求項７】
前記解除フレームは前記取付位置に向かって付勢されている、請求項６に記載の取付システム。
【請求項８】
着脱式エンターテインメントシステム用の係合システムであって、
着脱式ディスプレイユニットと、
前記ディスプレイユニットを受容するように構成されたドッキングステーションと、
を備え、
前記ディスプレイユニットが、
第１の位置で前記ディスプレイユニットの下側から延びて前記ディスプレイユニットの前側に向かって湾曲している、第１のヒンジフックと、
第２の位置で前記ディスプレイユニットの前記下側から延びて前記ディスプレイユニットの前記前側に向かって湾曲している、第２のヒンジフックと、
前記ディスプレイユニットの背部側または上側に配置されるディスプレイ取付機構と、
を備え、
前記ドッキングステーションが、
前記第１のヒンジフックを受容するように構成された第１のヒンジループと、
前記第２のヒンジフックを受容するように構成された第２のヒンジループと、
前記ディスプレイ取付機構と結合するように構成されたドッキング取付機構とを備え、
前記ディスプレイ取付機構は、本体を有するラッチバタフライと、前記本体に回転可能に結合されたラッチヘッドと、を備え、
前記係合システムが、前記本体と前記ラッチヘッドとの前方に配置されたカバーをさらに備える、着脱式エンターテインメントシステム用の係合システム。
【請求項９】
前記本体は、前記本体が第１の回転軸線を中心に回転することを可能にするように構成された回転構成要素を含み、前記本体を前記第１の回転軸線を中心にロック位置からロック解除位置まで回転させることにより、解除機構を作動させる、請求項８に記載の係合システム。
【請求項１０】
前記ラッチヘッドは、第２の回転軸線を中心に前記本体に対して回転するように構成され、前記ラッチヘッドは、前記第２の回転軸線の第１の側に配置された第１の接点と、前記第２の回転軸線の第２の側に配置された第２の接点と、を含み、前記カバーは、前記第１の接点と位置合わせされた第１の穿孔と、前記第２の接点と位置合わせされた第２の穿孔と、を備える、請求項９に記載の係合システム。
【請求項１１】
着脱式エンターテインメントシステム用の電流制御システムであって、
ドッキングステーションと、
前記ドッキングステーションにドッキングするように構成された着脱式ディスプレイユニットと、
を備え、
前記ドッキングステーションが、
前記ドッキングステーションの前側に配置された第１のコネクタ構成要素と、
前記ドッキングステーションの前記前側に配置された接点と、
を備え、
前記ディスプレイユニットが、
前記ディスプレイユニットの背部側に配置され、前記ドッキングステーションへの前記ディスプレイユニットの前記ドッキング中に前記第１のコネクタ構成要素と係合するように位置合わせされた、第２のコネクタ構成要素と、
前記ディスプレイユニットの前記背部側に配置された電流制御ピンと、
を備え、
前記電流制御ピンが、
前記ディスプレイユニットの前記背部側に固定され、前記ディスプレイユニットから外向きに延びる細長い領域を有する、内側接点ピンと、
細長い領域と内部キャビティとを有する接点ピンと、
第１の端部で前記内側接点ピンの周囲に配置され、第２の端部で前記内部キャビティ内に配置され、前記内側接点ピンを前記接点ピンから分離するように付勢されている、ばねと、
前記ばねによる作用を受けたときに前記接点ピンの移動を制限するように構成されたハウジングと、
を備え、
前記電流制御ピンは、前記ドッキングステーションへの前記ディスプレイユニットの前記ドッキング中に前記接点ピンが前記接点と接触し、前記接点ピンを前記内側接点ピンに向かって移動させるように位置合わせされ、
前記接点ピンの前記細長い領域の長さと前記接点ピンの移動距離との組み合わせは、前記内側接点ピンが前記接点ピンの前記内部キャビティに接触する前に、第２のコネクタ構成要素が前記第１のコネクタ構成要素と係合するように構成されている、着脱式ディスプレイユニットと、
を備える、着脱式エンターテインメントシステム用の電流制御システム。
【請求項１２】
前記接点は、電流源に結合され、前記接点ピンおよび前記内側接点ピンは、導電性材料からなる、請求項１１に記載の電流制御システム。
【請求項１３】
着脱式エンターテインメントシステム用のフローティングコネクタドックシステムであって、
ドッキングステーションを備え、
前記ドッキングステーションが、
背部パネルと、
少なくとも１つの穿孔を含む、コネクタインタフェースプレートと、
前記コネクタインタフェースプレートに取り付けられた第１のコネクタインタフェースと、
前記背部パネルから外側に延び、前記少なくとも１つの穿孔を貫通する少なくとも１つのガイドピンであって、前記少なくとも１つの穿孔は、前記少なくとも１つの穿孔に対する前記少なくとも１つのガイドピンの横方向の移動を許容差内で可能にするように、前記少なくとも１つのガイドピンの幅に対して寸法決めされている、少なくとも１つのガイドピンと、
前記背部パネルと前記コネクタインタフェースプレートとの間の前記少なくとも１つのガイドピンの周りに配置されたばね機構と、
前記コネクタインタフェースプレートに取り付けられ、前記コネクタインタフェースプレートから外側に延びる少なくとも１つのドッキング位置合わせタブと、
を備える、着脱式エンターテインメントシステム用のフローティングコネクタドックシステム。
【請求項１４】
前記ドッキングステーションとドッキングするように構成された着脱式ディスプレイユニットであって、前記ディスプレイユニットは、
前記少なくとも１つのドッキング位置合わせタブに対応する少なくとも１つのディスプレイ位置合わせ機構と、
前記第１のコネクタインタフェースと相互作用するように構成された第２のコネクタインタフェースと、を含む、着脱式ディスプレイユニット、をさらに備え、
前記少なくとも１つのドッキング位置合わせタブは、対応する少なくとも１つのディスプレイ位置合わせ機構と相互作用して、前記ドッキングステーションの前記第１のコネクタインタフェースを前記ディスプレイユニットの前記第２のコネクタインタフェースと位置合わせするように構成されている、請求項１３に記載のフローティングコネクタドックシステム。
【請求項１５】
前記少なくとも１つのディスプレイ位置合わせ機構は、対応する少なくとも１つのドッキング位置合わせタブと相互作用するように構成された少なくとも１つのディスプレイ位置合わせ面を含み、前記少なくとも１つのディスプレイ位置合わせ面は、位置合わせ方向に向かって先細りになっている、請求項１４に記載のフローティングコネクタドックシステム。
【請求項１６】
前記ばね機構は、皿ばねを備える、請求項１４に記載のフローティングコネクタドックシステム。
【請求項１７】
前記少なくとも１つの穿孔は、少なくとも１つの横方向における少なくとも許容差だけ、対応する前記第１のコネクタインタフェースと前記少なくとも１つのドッキング位置合わせタブとの面積よりも大きい面積を有するように寸法決めされている、請求項１４に記載のフローティングコネクタドックシステム。
【請求項１８】
熱源と、
前記熱源に熱的に結合されたヒートシンクと、
前記ヒートシンクに熱的に結合され、前記ヒートシンクから外向きに延び、熱伝導性材料から作られている、少なくとも１つの板ばねと、を含む、着脱式ディスプレイユニットと、
前記ディスプレイユニットが前記ドッキングステーションとドッキングされるときに前記少なくとも１つの板ばねと接触するように位置合わせされる、少なくとも１つの熱伝導性要素を備え、前記ディスプレイユニットを受容するように構成されたドッキングステーションと、
を備える、着脱式エンターテインメントシステム用の放熱システム。
【請求項１９】
前記着脱式ディスプレイユニットは、前記ヒートシンクに熱的に結合された少なくとも１つの第１の取付機構をさらに備え、
前記ドッキングステーションは、前記少なくとも１つの熱伝導性要素に熱的に結合された少なくとも１つの第２の取付機構をさらに含み、前記少なくとも１つの第２の取付機構は、対応する少なくとも１つの第１の取付機構と相互作用して、前記ディスプレイユニットが前記ドッキングステーションとドッキングされるときに前記ディスプレイユニットを前記ドッキングステーションで固定するように構成され、
前記少なくとも第１の１つの取付機構および前記少なくとも１つの第２の取付機構は、熱伝導性材料から作られている、請求項１８に記載の放熱システム。
【請求項２０】
前記少なくとも１つの第１の取付機構は、前記ディスプレイユニットの下側から延びる少なくとも１つのヒンジフックを含み、前記少なくとも１つのヒンジフックは、前記ディスプレイユニットの前側に向かって湾曲し、
前記少なくとも１つの第２の取付機構は、前記少なくとも１つのヒンジフックを受容するように構成されたヒンジループを備える、請求項１９に記載の放熱システム。
【国際調査報告】
2019532509.tif 000029
2019532509.tif 000030